【事件の表示】
　特許第３１７５５０１号「空気調和機のエアフィルタ」の請求項１に係る特許に対する特許異議の申立てについて、次のとおり決定する。
【結　論】
　訂正を認める。
　特許第３１７５５０１号の請求項１に係る特許を維持する。
【理　由】
１．手続の経緯
　特許第３１７５５０１号（以下「本件特許」という。）についての出願は、平成６年１０月２８日に特許出願され、平成１３年４月６日に設定登録され、その後、東芝キャリア株式会社より特許異議申立がなされ、取消理由が通知された後、平成１４年９月２日付けで訂正請求がなされたものである。
　
２．訂正の適否についての判断
（１）本件訂正請求は、以下の事項について訂正するものである。     
（ア）特許請求の範囲の請求項１において、
「【請求項１】
　空気調和機室内ユニットの空気取り入れ口と熱交換器との間に取り付けられ、ほこりの侵入を防止する機能を有するエアフィルタにおいて、このエアフィルタには着脱を容易にするために所定の間隔で近接して略平行に配置された２枚の、フィルタ面から略垂直に突出した平板状の取っ手を有する空気調和機のエアフィルタ。」と訂正する。
　
（イ）発明の詳細な説明の段落【０００９】において、
「取っ手部を上下２段の平板」を、「取っ手部を、フィルタ面から略垂直に突出した上下２段の平板」と訂正する。
　
（２）そこで、上記訂正事項について検討する。
　訂正事項（ア）の特許請求の範囲に係る訂正は、エアフィルタに取り付けられる取っ手について、「フィルタ面から略垂直に突出した」と限定したもので、特許請求の範囲の減縮を目的としたものである。
　また、訂正事項（イ）は、特許請求の範囲を訂正したことに伴い、発明の詳細な説明中の記載を訂正したものであって、明りょうでない記載の釈明を目的としたものである。
　そして、図１に、フィルタ表面に略垂直に取り付けられている２枚の取っ手が記載されており、各訂正事項は、願書に添付した明細書又は図面に記載した事項の範囲内においてなされ、実質上特許請求の範囲を拡張し、又は変更するものでない。
　そうすると、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
　特許異議申立人東芝キャリア株式会社は、甲第１号証（実願昭４９−１４１７０６号（実開昭５１−６９３６８号）のマイクロフィルム）、甲第２号証（実願昭５２−１０１０３号（実開昭５３−１０５５４５号）のマイクロフィルム）、甲第３号証（特開平１−２３４７２８号公報）を提出し、請求項１に係る特許は、特許法第２９条第２項の規定に違反してなされたものであると主張している。
　
４．特許異議の申立てについての判断
（１）本件特許の請求項１に係る発明（以下「本件発明」という。）は、訂正明細書の特許請求の範囲の請求項１に記載された事項により特定されるとおりのものと認める。（上記２．（１）（ア））
　
（２）当審が平成１４年６月２１日付けで通知した取消理由通知に引用され、本件出願前に頒布された刊行物である、実願昭４９−１４１７０６号（実開昭５１−６９３６８号）のマイクロフィルム（以下「刊行物１」という。）には、
「空気調和機室内ユニットの吸込口と熱交換器との間に取り付けられ、塵芥除去のための集塵フィルタにおいて、この集塵フィルタには、断面が略コ字状であり、枠体に対して略垂直の状態で、互いに所定の間隔を有し近接して略平行に設けた２つの平面部と、この２つの平面部を結ぶ部分から構成された取手部を有する空気調和機の集塵フィルタ。」が記載されていると認められる。
　
（３）そこで、本件発明と刊行物１に記載された発明を対比すると、刊行物１には、枠体に対して略垂直の状態で、互いに所定の間隔を有し近接して略平行に設けた２つの平面部を有するものの、２つの平面部を結ぶ部分を備えるものであり、本件発明の
「着脱を容易にするために所定の間隔で近接して略平行に配置された２枚の、フィルタ面から略垂直に突出した平板状の取っ手」について、刊行物１には記載されておらず、また、この構成は、特許異議申立人が提出した証拠のいずれにも記載されていない。
　そして、この構成により、「着脱時にも十分に安定して作業を行うことができる。」（段落【０００９】）という効果を奏するものであり、本件発明が、特許異議申立人が提出した刊行物に記載された発明に基づいて、当業者が容易に発明をすることができたものと認めることはできない。
　
５．むすび
　以上のとおりであるから、特許異議の申立ての理由によっては、本件発明についての特許を取り消すことはできない。
　また、他に本件発明についての特許を取り消すべき理由を発見しない。
　したがって、本件発明についての特許は、拒絶の査定をしなければならない特許出願にされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。  
【異議決定日】
平成１４年９月１０日（２００２．９．１０）
【訂正の要旨】
（ア）特許請求の範囲の請求項１において、
「【請求項１】
　空気調和機室内ユニットの空気取り入れ口と熱交換器との間に取り付けられ、ほこりの侵入を防止する機能を有するエアフィルタにおいて、このエアフィルタには着脱を容易にするために所定の間隔で近接して略平行に配置された２枚の、フィルタ面から略垂直に突出した平板状の取っ手を有する空気調和機のエアフィルタ。」と訂正する。
（イ）発明の詳細な説明の段落【０００９】において、
「取っ手部を上下２段の平板」を、
「取っ手部を、フィルタ面から略垂直に突出した上下２段の平板」と訂正する。
（５４）【発明の名称】
空気調和機のエアフィルタ
（５７）【特許請求の範囲】
　【請求項１】　空気調和機室内ユニットの空気取り入れ口と熱交換器との間に取り付けられ、ほこりの侵入を防止する機能を有するエアフィルタにおいて、このエアフィルタには着脱を容易にするために所定の間隔で近接して略平行に配置された２枚の
、フィルタ面から略垂直に突出した
【発明の詳細な説明】
　【０００１】
　【産業上の利用分野】
　本発明は、空気調和機室内ユニットのエアフィルタに関するものである。
　【０００２】
　【従来の技術】
　従来の空気調和機室内ユニットに用いられていたエアフィルタは着脱に関してはツマミ等簡単なものを設けるにとどまっていた。
　【０００３】
　以下図面を参照しながら前述した従来の空気調和機のエアフィルタの構造について説明する。
　【０００４】
　図２は従来の空気調和機エアフィルタの斜視図である。
　エアフィルタ１の着脱はツマミ４を手の親指と人さし指でつまんで行っていた。
　【０００５】
　【発明が解決しようとする課題】
　前記構成においては、ツマミ部分が小さく着脱の際不安定となり取り付けに時間がかかったり、取り外し時に落としてしまう危険があった。
　【０００６】
　【課題を解決するための手段】
　前記課題を解決するために本発明は、エアフィルタの着脱を行うためのツマミを廃止し、手の親指、人さし指、中指、薬指が十分にかかり、なおかつ上下の２段に分けることによって十分な安定性が得られるように取っ手部を設けた。
　【０００７】
　【作用】
　本発明は、かかる構造により空気調和機エアフィルタの掃除などの際の着脱に際して安定して作業が行えることによりエアフィルタの着脱性を向上させた。
　【０００８】
　【実施例】
　以下本発明の一実施例について図１を参考に説明する。
　【０００９】
　図１はエアフィルタ１に取っ手２を設けたものを手３で挟んでいる状態を示す。図１に示したエアフィルタ１においては取っ手部を、
フィルタ面から略垂直に突出した
　【００１０】
　【発明の効果】
　前記実施例でも明らかなように、本発明はかかる構造により空気調和機室内ユニットにおいて使用されるエアフィルタの着脱の作業性を向上させることができる。
【図面の簡単な説明】
　【図１】
　本発明の一実施例における空気調和機のエアフィルタの斜視図
　【図２】
　従来例を示す空気調和機のエアフィルタの斜視図
　【符号の説明】
　１　エアフィルタ
　２　取っ手
　３　手
　４　ツマミ